(57)【特許請求の範囲】
【請求項１】
撮影光学系を保持する鏡筒と、前記鏡筒に取着された基板と、前記鏡筒内に組み込まれ前記撮影光学系で結像された被写体像を撮像して撮像信号を出力する撮像素子と、前記基板に設けられ前記撮像素子から出力される撮像信号を入力して所定の信号処理を行う信号処理部とを含んで構成されたカメラ本体と、
前記鏡筒および前記基板を覆い前記撮像素子および前記信号処理部に対する電磁遮蔽を行うシールドケースとを備え、
前記シールドケースは、前記基板を覆う矩形状を呈する基板被覆用板部と、前記基板被覆用板部の４辺から起立し前記鏡筒の側部に沿って延在し互いに対向する２組の側面部と、前記２組の側面部のうちの１組の側面部に設けられかつ前記カメラ本体に係止し前記基板被覆用板部が前記基板から離れる方向への動きを阻止する係止部とを有し、
前記基板に、基準電位となるグランド用ランドが設けられ、
前記シールドケースの前記側面部に、該側面部から突出し前記基板被覆用板部が前記基板に対して離間接近する方向に対して交差する方向に延在し前記基板被覆用板部が前記基板に対して離間接近する方向に弾性変形可能なアーム部が設けられ、
前記アーム部の先端に前記グランド用ランドに接触可能なグランド用接片が設けられ、
前記グランド用接片は前記グランド用ランドに接合され、
絶縁性および弾性を有するクッション材が前記基板と前記基板被覆用板部との間に配設され、
前記係止部が前記カメラ本体に係止することで前記クッション材は前記基板と前記基板被覆用板部との間に圧縮された状態で配設されている
カメラモジュール。
【請求項２】
前記鏡筒は、前記撮影光学系の光軸に沿った両側箇所に前端と後端とを有し、前記撮影光学系を構成し最も前方に位置する光学部材が前記鏡筒の前端に露出して配置され、
前記基板は前記鏡筒の後端に取着されている
請求項１記載のカメラモジュール。
【請求項３】
前記クッション材は均一の厚さを有する板状の部材で形成され、
前記基板と前記基板被覆用板部とは平行している
請求項１記載のカメラモジュール。
【請求項４】
前記係止部が前記カメラ本体に係止する箇所は、前記基板が前記鏡筒に臨む面である
請求項１記載のカメラモジュール。
【請求項５】
撮影光学系を保持する鏡筒と、前記鏡筒に取着された基板と、前記鏡筒内に組み込まれ前記撮影光学系で結像された被写体像を撮像して撮像信号を出力する撮像素子と、前記基板に設けられ前記撮像素子から出力される撮像信号を入力して所定の信号処理を行う信号処理部とを含んで構成されたカメラ本体と、
前記鏡筒および前記基板を覆い前記撮像素子および前記信号処理部に対する電磁遮蔽を行うシールドケースとを備え、
前記鏡筒は、前記撮影光学系の光軸に沿った両側箇所に前端と後端とを有し、
前記基板は前記鏡筒の後端に取着され、
前記シールドケースは、前記鏡筒の前端を含む部分を覆う前分割体と、前記基板を含む部分を覆う後分割体とで構成され、
前記後分割体は、前記基板を覆う矩形状を呈する基板被覆用板部と、前記基板被覆用板部の４辺から起立し前記鏡筒の側部に沿って延在し互いに対向する２組の側面部と、前記２組の側面部のうちの１組の側面部に設けられかつ前記前分割体に係止し前記基板被覆用板部が前記基板から離れる方向への動きを阻止する係止部とを有し、
前記基板に、基準電位となるグランド用ランドが設けられ、
前記シールドケースの前記側面部に、該側面部から突出し前記基板被覆用板部が前記基板に対して離間接近する方向に対して交差する方向に延在し前記基板被覆用板部が前記基板に対して離間接近する方向に弾性変形可能なアーム部が設けられ、
前記アーム部の先端に前記グランド用ランドに接触可能なグランド用接片が設けられ、
前記グランド用接片は前記グランド用ランドに接合され、
絶縁性および弾性を有するクッション材が前記基板と前記基板被覆用板部との間に配設され、
前記係止部が前記カメラ本体に係止することで前記クッション材は前記基板と前記基板被覆用板部との間に圧縮された状態で配設されている
カメラモジュール。
【請求項６】
筐体と、前記筐体に組み込まれたカメラモジュールとを備える電子機器であって、
前記カメラモジュールは、カメラ本体と、シールドケースとを備え、
前記カメラ本体は、撮影光学系を保持する鏡筒と、前記鏡筒に取着された基板と、前記鏡筒内に組み込まれ前記撮影光学系で結像された被写体像を撮像して撮像信号を出力する撮像素子と、前記基板に設けられ前記撮像素子から出力される撮像信号を入力して所定の信号処理を行う信号処理部とを含んで構成され、
前記シールドケースは、前記鏡筒および前記基板を覆い前記撮像素子および前記信号処理部に対する電磁遮蔽を行うように構成され、
前記シールドケースは、前記基板を覆う矩形状を呈する基板被覆用板部と、前記基板被覆用板部の４辺から起立し前記鏡筒の側部に沿って延在し互いに対向する２組の側面部と、前記２組の側面部のうちの１組の側面部に設けられかつ前記カメラ本体に係止し前記基板被覆用板部が前記基板から離れる方向への動きを阻止する係止部とを有し、
前記基板に、基準電位となるグランド用ランドが設けられ、
前記シールドケースの前記側面部に、該側面部から突出し前記基板被覆用板部が前記基板に対して離間接近する方向に対して交差する方向に延在し前記基板被覆用板部が前記基板に対して離間接近する方向に弾性変形可能なアーム部が設けられ、
前記アーム部の先端に前記グランド用ランドに接触可能なグランド用接片が設けられ、
前記グランド用接片は前記グランド用ランドに接合され、
絶縁性および弾性を有するクッション材が前記基板と前記基板被覆用板部との間に配設され、
前記係止部が前記カメラ本体に係止することで前記クッション材は前記基板と前記基板被覆用板部との間に圧縮された状態で配設され、
前記基板被覆用板部が前記筐体の内壁に取着されることで前記カメラモジュールが前記筐体の内部に配設されている
電子機器。
【請求項７】
前記基板被覆用板部と前記筐体の内壁との間に防振ゴムが介在された状態で前記基板被覆用板部が前記筐体の内壁に取着されている
請求項６記載の電子機器。
【請求項８】
筐体と、前記筐体に組み込まれたカメラモジュールとを備える電子機器であって、
前記カメラモジュールは、カメラ本体と、シールドケースとを備え、
前記カメラ本体は、撮影光学系を保持する鏡筒と、前記鏡筒に取着された基板と、前記鏡筒内に組み込まれ前記撮影光学系で結像された被写体像を撮像して撮像信号を出力する撮像素子と、前記基板に設けられ前記撮像素子から出力される撮像信号を入力して所定の信号処理を行う信号処理部とを含んで構成され、
前記シールドケースは、前記鏡筒および前記基板を覆い前記撮像素子および前記信号処理部に対する電磁遮蔽を行うように構成され、
前記鏡筒は、前記撮影光学系の光軸に沿った両側箇所に前端と後端とを有し、
前記基板は前記鏡筒の後端に取着され、
前記シールドケースは、前記鏡筒の前端を含む部分を覆う前分割体と、前記基板を含む部分を覆う後分割体とで構成され、
前記後分割体は、前記基板を覆う矩形状を呈する基板被覆用板部と、前記基板被覆用板部の４辺から起立し前記鏡筒の側部に沿って延在し互いに対向する２組の側面部と、前記２組の側面部のうちの１組の側面部に設けられかつ前記前分割体に係止し前記基板被覆用板部が前記基板から離れる方向への動きを阻止する係止部とを有し、
前記基板に、基準電位となるグランド用ランドが設けられ、
前記シールドケースの前記側面部に、該側面部から突出し前記基板被覆用板部が前記基板に対して離間接近する方向に対して交差する方向に延在し前記基板被覆用板部が前記基板に対して離間接近する方向に弾性変形可能なアーム部が設けられ、
前記アーム部の先端に前記グランド用ランドに接触可能なグランド用接片が設けられ、
前記グランド用接片は前記グランド用ランドに接合され、
絶縁性および弾性を有するクッション材が前記基板と前記基板被覆用板部との間に配設され、
前記係止部が前記前分割体に係止することで前記クッション材は前記基板と前記基板被覆用板部との間に圧縮された状態で配設され、
前記基板被覆用板部が前記筐体の内壁に取着されることで前記カメラモジュールが前記筐体の内部に配設されている
電子機器。
【請求項９】
前記基板被覆用板部と前記筐体の内壁との間に防振ゴムが介在された状態で前記基板被覆用板部が前記筐体の内壁に取着されている
請求項８記載の電子機器。
【発明の詳細な説明】
【技術分野】
【０００１】
本発明はカメラモジュールおよび電子機器に関する。
【背景技術】
【０００２】
近年、カメラモジュールが組み込まれた携帯電話機、あるいはＰＤＡ（Ｐｅｒｓｏｎａｌ  Ｄｉｇｉｔａｌ  Ａｓｓｉｓｔａｎｔｓ）などの電子機器が提供されている。
カメラモジュールは、撮影光学系を保持する鏡筒と、鏡筒の後端に取着された基板と、鏡筒内に組み込まれ撮影光学系で導かれた被写体像を撮像して撮像信号を出力する撮像素子と、基板に設けられ撮像素子から出力される撮像信号を入力して所定の信号処理を行なう信号処理部とを備え、鏡筒および基板を覆い撮像素子および信号処理部に対する電磁遮蔽を行うシールドケースが設けられている（特許文献１参照）。
【特許文献１】特開２００５−８６３４１号公報
【発明の開示】
【発明が解決しようとする課題】
【０００３】
ところで、このようなカメラモジュールのシールドケースは、多くの場合、基板に対して半田付けなどによって電気的に接続されると共にシールドケースは基板に対してリジッドに固定されている。
したがって、撮像装置が落下するなどして、シールドケースに強い衝撃が加わると、基板とシールドケースとの間に無理な力がかかり、カメラモジュールの耐衝撃性を向上する上で限界があった。
本発明はこのような事情に鑑みなされたものであり、本発明の目的は耐衝撃性を確保する上で有利なカメラモジュールおよび電子機器を提供することにある。
【課題を解決するための手段】
【０００４】
上述の目的を達成するため、本発明のカメラモジュールは、撮影光学系を保持する鏡筒と、鏡筒に取着された基板と、鏡筒内に組み込まれ撮影光学系で結像された被写体像を撮像して撮像信号を出力する撮像素子と、基板に設けられ撮像素子から出力される撮像信号を入力して所定の信号処理を行う信号処理部とを含んで構成されたカメラ本体と、鏡筒および基板を覆い撮像素子および信号処理部に対する電磁遮蔽を行うシールドケースとを備えている。シールドケースは、基板を覆う矩形状を呈する基板被覆用板部と、基板被覆用板部の４辺から起立し鏡筒の側部に沿って延在し互いに対向する２組の側面部と、２組の側面部のうちの１組の側面部に設けられかつカメラ本体に係止し基板被覆用板部が基板から離れる方向への動きを阻止する係止部とを有し、基板に、基準電位となるグランド用ランドが設けられ、シールドケースの側面部に、該側面部から突出し基板被覆用板部が基板に対して離間接近する方向に対して交差する方向に延在し基板被覆用板部が基板に対して離間接近する方向に弾性変形可能なアーム部が設けられ、アーム部の先端にグランド用ランドに接触可能なグランド用接片が設けられ、グランド用接片はグランド用ランドに接合され、絶縁性および弾性を有するクッション材が基板と基板被覆用板部との間に配設され、係止部がカメラ本体に係止することでクッション材は前記基板と前記基板被覆用板部との間に圧縮された状態で配設されている。
また、本発明のカメラモジュールは、撮影光学系を保持する鏡筒と、鏡筒に取着された基板と、鏡筒内に組み込まれ撮影光学系で結像された被写体像を撮像して撮像信号を出力する撮像素子と、基板に設けられ撮像素子から出力される撮像信号を入力して所定の信号処理を行う信号処理部とを含んで構成されたカメラ本体と、鏡筒および基板を覆い撮像素子および信号処理部に対する電磁遮蔽を行うシールドケースとを備えている。鏡筒は、撮影光学系の光軸に沿った両側箇所に前端と後端とを有し、基板は鏡筒の後端に取着され、シールドケースは、鏡筒の前端を含む部分を覆う前分割体と、基板を含む部分を覆う後分割体とで構成され、後分割体は、基板を覆う矩形状を呈する基板被覆用板部と、基板被覆用板部の４辺から起立し鏡筒の側部に沿って延在し互いに対向する２組の側面部と、２組の側面部のうちの１組の側面部に設けられかつ前分割体に係止し基板被覆用板部が基板から離れる方向への動きを阻止する係止部とを有し、基板に、基準電位となるグランド用ランドが設けられ、シールドケースの側面部に、該側面部から突出し基板被覆用板部が基板に対して離間接近する方向に対して交差する方向に延在し基板被覆用板部が基板に対して離間接近する方向に弾性変形可能なアーム部が設けられ、アーム部の先端にグランド用ランドに接触可能なグランド用接片が設けられ、グランド用接片はグランド用ランドに接合され、絶縁性および弾性を有するクッション材が基板と基板被覆用板部との間に配設され、係止部がカメラ本体に係止することでクッション材は基板と基板被覆用板部との間に圧縮された状態で配設されている。
また、本発明の電子機器は、筐体と、筐体に組み込まれたカメラモジュールとを備える電子機器であって、カメラモジュールは、カメラ本体と、シールドケースとを備え、カメラ本体は、撮影光学系を保持する鏡筒と、鏡筒に取着された基板と、鏡筒内に組み込まれ撮影光学系で結像された被写体像を撮像して撮像信号を出力する撮像素子と、基板に設けられ撮像素子から出力される撮像信号を入力して所定の信号処理を行う信号処理部とを含んで構成されている。シールドケースは、鏡筒および基板を覆い撮像素子および信号処理部に対する電磁遮蔽を行うように構成され、シールドケースは、基板を覆う矩形状を呈する基板被覆用板部と、基板被覆用板部の４辺から起立し鏡筒の側部に沿って延在し互いに対向する２組の側面部と、２組の側面部のうちの１組の側面部に設けられかつカメラ本体に係止し基板被覆用板部が基板から離れる方向への動きを阻止する係止部とを有し、基板に、基準電位となるグランド用ランドが設けられ、シールドケースの側面部に、該側面部から突出し基板被覆用板部が基板に対して離間接近する方向に対して交差する方向に延在し基板被覆用板部が基板に対して離間接近する方向に弾性変形可能なアーム部が設けられ、アーム部の先端にグランド用ランドに接触可能なグランド用接片が設けられ、グランド用接片はグランド用ランドに接合され、絶縁性および弾性を有するクッション材が基板と基板被覆用板部との間に配設され、係止部がカメラ本体に係止することでクッション材は基板と基板被覆用板部との間に圧縮された状態で配設され、基板被覆用板部が筐体の内壁に取着されることでカメラモジュールが筐体の内部に配設されている。
また、本発明の電子機器は、筐体と、筐体に組み込まれたカメラモジュールとを備える電子機器であって、カメラモジュールは、カメラ本体と、シールドケースとを備え、カメラ本体は、撮影光学系を保持する鏡筒と、鏡筒に取着された基板と、鏡筒内に組み込まれ撮影光学系で結像された被写体像を撮像して撮像信号を出力する撮像素子と、基板に設けられ撮像素子から出力される撮像信号を入力して所定の信号処理を行う信号処理部とを含んで構成されている。シールドケースは、鏡筒および基板を覆い撮像素子および信号処理部に対する電磁遮蔽を行うように構成され、鏡筒は、撮影光学系の光軸に沿った両側箇所に前端と後端とを有し、基板は鏡筒の後端に取着され、シールドケースは、鏡筒の前端を含む部分を覆う前分割体と、基板を含む部分を覆う後分割体とで構成され、後分割体は、基板を覆う矩形状を呈する基板被覆用板部と、基板被覆用板部の４辺から起立し鏡筒の側部に沿って延在し互いに対向する２組の側面部と、２組の側面部のうちの１組の側面部に設けられかつ前分割体に係止し基板被覆用板部が基板から離れる方向への動きを阻止する係止部とを有し、基板に、基準電位となるグランド用ランドが設けられ、シールドケースの側面部に、該側面部から突出し基板被覆用板部が基板に対して離間接近する方向に対して交差する方向に延在し基板被覆用板部が基板に対して離間接近する方向に弾性変形可能なアーム部が設けられ、アーム部の先端にグランド用ランドに接触可能なグランド用接片が設けられ、グランド用接片はグランド用ランドに接合され、絶縁性および弾性を有するクッション材が基板と基板被覆用板部との間に配設され、係止部が前分割体に係止することでクッション材は基板と基板被覆用板部との間に圧縮された状態で配設され、基板被覆用板部が筐体の内壁に取着されることでカメラモジュールが筐体の内部に配設されている。
【発明の効果】
【０００５】
そのため、本発明によれば、カメラモジュールに衝撃が加わったとしても、クッション材が基板被覆用板部と基板との間に介在しているので、クッション材の衝撃緩和作用によりシールドケースと基板の間に無理な力が作用せず、カメラモジュールの耐衝撃性を確保する上で有利となる。
また、クッション材は、基板被覆用板部と基板との間に圧縮された状態で介在しているので、シールドケースをカメラ本体にがたつくことなく装着させる上で有利となる。
【発明を実施するための最良の形態】
【０００６】
（第１の実施の形態）
次に本発明の第１の実施の形態について図面を参照して説明する。
図１（Ａ）、（Ｂ）はカメラモジュールが組み込まれた電子機器である携帯電話機１０の一例を示す外観図である。
図１に示すように携帯電話機１０は、ヒンジ部１２によって揺動可能に連結された第１、第２の筐体１４、１６を有している。
第１の筐体１４の内面には液晶表示パネル１４０２が設けられ、第２の筐体１６の内面にはテンキーや機能キーなどの操作スイッチ１６０２が設けられている。
カメラモジュール２０は、第１の筐体１４の基端部に組み込まれ、カメラモジュール２０で撮像した画像は液晶表示パネル１４０２に表示されるように構成されている。
【０００７】
図２（Ａ）、（Ｂ）はカメラモジュール２０の斜視図、図３は第１の筐体１４に組み込まれた状態のカメラモジュール２０の断面図、図４（Ａ）、（Ｂ）はシールドケース４０を取り外したカメラモジュール２０の斜視図である。
カメラモジュール２０は、カメラ本体２２とシールドケース４０とを備えている。
図３、図４に示すように、カメラ本体２２は、撮影光学系２４を保持する鏡筒２６と、鏡筒２６に取着された基板２８と、鏡筒２６内に組み込まれ撮影光学系２４で結像された被写体像を撮像して撮像信号を出力する撮像素子３０と、基板２８に設けられ撮像素子３０から出力される撮像信号を入力して所定の信号処理を行なう信号処理部３２（図５、図６参照）とを備えている。
【０００８】
鏡筒２６は、撮影光学系２４の光軸に沿った両側箇所に前端と後端とを有し、撮影光学系２４を構成し最も前方に位置する光学部材２４０２（本実施の形態ではレンズカバー）が鏡筒２６の前端に露出して配置されている。
鏡筒２６は矩形板状を呈し、鏡筒２６の中央には前後方向に貫通する、言い換えると、撮影光学系２４の光軸に沿って延在する収容空間が設けられている。
【０００９】
図５は後分割体４４を外したカメラモジュール２０の斜視図、図６は図５のＡ矢視図である。
図４乃至図６に示すように、基板２８は鏡筒２６の後端に取着されている。
基板２８は矩形板状を呈し、基板２８は、鏡筒２６に臨む前面２８Ａと、その反対に位置する後面２８Ｂとを備えている。
基板２８は、鏡筒２６の後端をなす後面よりも大きな輪郭で形成され、鏡筒２６の後面の４辺の外側に、基板２８の４辺部分が突出している。
前面２８Ａには、フレキシブル基板３４が重ね合わされて半田付けにより取着され、フレキシブル基板３４が鏡筒２６に臨む箇所に撮像素子３０が実装されている。
後面２８Ｂには、信号処理部３２を構成する種々のＩＣなどを含む電子部品が実装されている。
また、後面２８Ｂには、基準電位となるグランド用ランド２８０２が設けられている。
なお、図５、図６において符号３４Ａはフレキシブル基板３４の先端に設けられた接続コネクタである。
【００１０】
図７はシールドケース４０を構成する前分割体４２の斜視図、図８（Ａ）はシールドケース４０を構成する後分割体４４の斜視図、（Ｂ）はシールドケース４０を構成する後分割体４４を内側から見た斜視図である。
シールドケース４０は、鏡筒２６および基板２８を覆い撮像素子３０および信号処理部３２に対する電磁遮蔽を行うものである。
シールドケース４０は、本実施の形態では、鏡筒２６の前部を覆う前分割体４２と、鏡筒２６の後部を覆う後分割体４４とで構成されている。
前分割体４２と後分割体４４は共に、りん青銅、洋白、ブリキ、銅などの導電性を有しかつ磁性を有さない材料で形成されている。
前分割体４２は、矩形状の前面４２０２と、前面４２０２の４辺から屈曲された４つの側面４２０４を有している。
前面４２０２には光学部材２４０２を露出させるための開口４２０６が設けられている。
図２、図７に示すように、前分割体４２は、鏡筒２６から突設された突起２６０２が各側面４２０４の開口４２０８に挿通され、前面４２０２に設けられた４つのばね片４２１０が、突起２６０２が開口４２０８の下縁に当て付けられるように付勢しており、これにより前分割体４２は鏡筒２６の前部に装着されている。
【００１１】
図８に示すように、後分割体４４は、矩形状の後面部４４０２と、後面部４４０２の４辺から起立し鏡筒２６の側部に沿って延在する側面部４４０４を有している。
本実施の形態では、後面部４４０２が基板２８を覆う基板被覆用板部に相当しており、以後、後面部４４０２を基板被覆用板部４４０２として説明する。
互いに対向する２組の側面部４４０４のうちの１組の側面部４４０４に、基板２８の前面２８Ａに係脱可能に係止し、係止することで基板被覆用板部４４０２が基板２８から離れる方向への動きを阻止する係止部４４１０が設けられている。
【００１２】
図９はカメラモジュール２０を後方から見た斜視図、図１０は図９の要部拡大斜視図である。
側面部４４０４に、シールドケース４０を接地するためのグランド用接片４４２０が設けられている。
グランド用接片４４２０は、側面部４４０４から突設され基板被覆用板部４４０２が基板に対して離間接近する方向に対して交差する方向に延在しその先部がグランド用ランド２８０２に半田付けにより接合されている。
すなわち、側面部４４０４に、該側面部４４０４から突出し基板被覆用板部４４０２が基板２８に対して離間接近する方向に対して交差する方向に延在し基板被覆用板部４４０２が基板２８に対して離間接近する方向に弾性変形可能なアーム部４４２２が設けられ、グランド用接片４４２０はこのアーム部４４２２の先端に設けられている。
【００１３】
そして、図３、図８（Ｂ）に示すように、絶縁性および弾性を有するクッション材４６が基板２８と基板被覆用板部４４０２との間に配設されている。
クッション材４６としては、絶縁性を有しかつ磁性を有しない、例えば、発泡ポリウレタンなどが使用可能である。なお、発泡ポリウレタンは、熱伝導性が空気よりも高い。
そして、図３に示すように、係止部４４１０がカメラ本体２２（本実施の形態では基板２８の前面２８Ａ）に係止することで、クッション材４６は基板２８と基板被覆用板部４４０２との間に圧縮された状態で配設されている。
言い換えると、クッション材４６の弾性力により係止部４４１０をカメラ本体２２に常時係止させ、これにより、後分割体４４はがたつくことなくカメラ本体２２に装着されている。
本実施の形態では、クッション材４６は、均一の厚さを有する板状の部材で形成され、したがって、基板２８と基板被覆用板部４４０２とは平行している。
【００１４】
なお、前分割体４２と後分割体４４がカメラ本体２２に装着された状態で、前分割体４２の側面部４２０４の先端の一部と、後分割体４４の側面部４４０４の先端の一部とが互いに弾接することにより、前分割体４２と後分割体４４は電気的に導通している。
また、本実施の形態では、図３に示すように、カメラモジュール２０を第１の筐体１４の基端部に組み込む際に、基板被覆用板部４４０２の外面に板状の防振ゴム４８を介在させ、鏡筒２６から突設された４つの脚部２６５０（図２参照）を第１の筐体１４の内壁１４１０に取り付けることでカメラモジュール２０を配設している。より詳細には、鏡筒２６から突設された４つの脚部２６５０を第１の筐体１４の内壁１４１０の係合部に係合させて防振ゴム４８を圧縮した状態で取り付け、防振ゴム４８に衝撃緩和作用を発揮させるとともに後分割体４４が外れるのを防止させるようにしている。
【００１５】
本実施の形態によれば、携帯電話機１０が落下するなどしてカメラモジュール２０に衝撃が加わったとしても、防振ゴム４８の衝撃緩和作用に加え、クッション材４６が基板被覆用板部４４０２と基板２８との間に介在しているので、クッション材４６の衝撃緩和作用により後分割体４４と基板２８の間に無理な力が作用せず、カメラモジュール２０の耐衝撃性を確保する上で有利となる。
また、クッション材４６が基板２８と基板被覆用板部４４０２との間に圧縮された状態で配設され、クッション材４６の弾性力により係止部４４１０をカメラ本体２２に常時係止させるので、後分割体４４をがたつくことなくカメラ本体２２に装着させる上で有利となる。
また、後分割体４４は、アーム部４４２２およびグランド用接片４４２０を介して基板のグランド用ランド２８０２に接合されているため、カメラモジュール２０に衝撃が加わったとしても、アーム部４４２２が撓むことで衝撃力が緩和されるので、グランド用接片４４２０とグランド用ランド２８０２の接合部分に無理な力が作用せず、グランド用接片４４２０とグランド用ランド２８０２の接合部分の耐衝撃性を確保する上で有利となる。
また、発泡ポリウレタンなどのような熱伝導性が空気よりも高い材料でクッション材４６を構成すると、基板２８で発生した熱がクッション材４６を介して後分割体４４に伝わりやすく基板２８を効率よく冷却する上で有利となる。
【００１６】
（第２の実施の形態）
次に第２の実施の形態について説明する。
図１１は第２の実施の形態のカメラモジュール２０を後方から見た斜視図、図１２は図１１の要部拡大斜視図である。
第１の実施の形態では、グランド用接片４４２０とグランド用ランド２８０２とを半田付けにより接合しているのに対して、第２の実施の形態では、アーム部４４２２の弾性を利用してグランド用接片４４２０をグランド用ランド２８０２に常時接触させるようにしており、その他の構成は第１の実施の形態と同様である。
第２の実施の形態では、側面部４４０４から突出し基板被覆用板部４４０２が基板２８に対して離間接近する方向に対して交差する方向に延在し基板被覆用板部４４０２が基板２８に対して離間接近する方向に弾性変形可能なアーム部４４２２が設けられている。
アーム部４４２２の先端にグランド用ランド２８０２に接触可能なグランド用接片４４２０が設けられている。
そして、グランド用接片４４２０は、アーム部４４２２の弾性によりグランド用ランド２８０２に接触しかつ該接触状態が保持されている。
第２の実施の形態によれば、グランド用接片４４２０とグランド用ランド２８０２とが半田付けされている場合に比較して、半田付けの作業が不要となるため組み立ての簡素化を図る上で有利となる。
また、グランド用接片４４２０とグランド用ランド２８０２とがリジッドに固定されていないため、グランド用接片４４２０とグランド用ランド２８０２の接合部分にかかる力を軽減することができ、グランド用接片４４２０とグランド用ランド２８０２の接合部分の耐衝撃性を確保する上でより有利となる。
【００１７】
（第３の実施の形態）
次に第３の実施の形態について説明する。
図１３は第１の筐体１４に組み込まれた状態の第３の実施の形態におけるカメラモジュール２０の断面図である。
第１の実施の形態では、基板被覆用板部４４０２が基板２８から離れる方向への動きを阻止する係止部４４１０をカメラ本体２２に係止させていたが、第３の実施の形態では、係止部４４１０Ａを前分割体４２に係止させるようにしており、その他の構成は第１の実施の形態と同様である。
すなわち、係止部４４１０Ａは、後分割体４４の互いに対向する２組の側面部４４０４のうちの１組の側面部４４０４の先端に設けられている。
この係止部４４１０Ａは、前分割体４２の係止部４２３０に係止可能で、係止部４４１０Ａが前分割体４２の係止部４２３０に係止することで基板被覆用板部４４０２が基板２８から離れる方向への動きを阻止されるように構成されている。
また、基板被覆用板部４４０２の外面に板状の防振ゴム４８を介在させ、鏡筒２６から突設された４つの脚部２６５０（図２参照）を第１の筐体１４の内壁１４１０に取り付けることでカメラモジュール２０を配設している。
このような第３の実施の形態によっても第１の実施の形態と同様な効果が奏される。
【００１８】
なお、実施の形態では、クッション材４６として弾性および絶縁性を有する板状の部材を用いた場合について説明したが、クッション材４６として弾性および絶縁性を有する線材から構成された単一のあるいは複数のコイルスプリングなどを用いることができる。しかしながら、実施の形態のような板状の部材を用いると、構造の簡単化、組み立ての簡単化を図る上で有利となる。
また、実施の形態では、電子機器が携帯電話機１０である場合について説明したが、本発明は、例えば、ＰＤＡ、ノート型パーソナルコンピュータなどの携帯情報端末、あるいは、デジタルスチルカメラ、ビデオカメラなどの種々の撮像装置に広く適用可能である。
【図面の簡単な説明】
【００１９】
【図１】（Ａ）、（Ｂ）はカメラモジュールが組み込まれた携帯電話機の一例を示す外観図である。
【図２】（Ａ）、（Ｂ）はカメラモジュール２０の斜視図である。
【図３】第１の筐体１４に組み込まれた状態のカメラモジュール２０の断面図である。
【図４】（Ａ）、（Ｂ）はシールドケース４０を取り外したカメラモジュール２０の斜視図である。
【図５】後分割体４４を外したカメラモジュール２０の斜視図である。
【図６】図５のＡ矢視図である。
【図７】シールドケース４０を構成する前分割体４２の斜視図である。
【図８】（Ａ）はシールドケース４０を構成する後分割体４４の斜視図、（Ｂ）はシールドケース４０を構成する後分割体４４を内側から見た斜視図である。
【図９】カメラモジュール２０を後方から見た斜視図である。
【図１０】図９の要部拡大斜視図である。
【図１１】第２の実施の形態のカメラモジュール２０を後方から見た斜視図である。
【図１２】図１１の要部拡大斜視図である。
【図１３】第１の筐体１４に組み込まれた状態の第３の実施の形態におけるカメラモジュール２０の断面図である。
【符号の説明】
【００２０】
１０……携帯電話機、２０……カメラモジュール、２２……カメラ本体、２４……撮影光学系２４……鏡筒、２８……基板、３０……撮像素子、３２……信号処理部、４０……シールドケース、４４０２……基板被覆用板部、４４１０……係止部、４６……クッション材。
【図１】
0004479643.tif 000002
【図２】
0004479643.tif 000003
【図３】
0004479643.tif 000004
【図４】
0004479643.tif 000005
【図５】
0004479643.tif 000006
【図６】
0004479643.tif 000007
【図７】
0004479643.tif 000008
【図８】
0004479643.tif 000009
【図９】
0004479643.tif 000010
【図１０】
0004479643.tif 000011
【図１１】
0004479643.tif 000012
【図１２】
0004479643.tif 000013
【図１３】
0004479643.tif 000014